(57)【要約】【課題】ダウンロードに時間がかかる画像については、ダウンロードに時間がかからない代用の画像を先に読み込み、後で必要に応じて前記ダウンロードに時間がかかる画像を読み込むようにすることによって、ウェブページのダウンロードに必要な時間を短縮することができるようにする。【解決手段】ウェブ端末機器１０に画面として表示されるウェブページ１１をダウンロードする時に、データ量の小さな代理コンテンツ２２をダウンロードして前記ウェブページ１１上に表示し、続いて、データ量の大きな実コンテンツ２３のダウンロードを開始する。【選択図】          図１
2004151985.tif 000002
【特許請求の範囲】
【請求項１】
（ａ）ウェブ端末機器に画面として表示されるウェブページをダウンロードする時に、
（ｂ）データ量の小さな代理コンテンツをダウンロードして前記ウェブページ上に表示し、
（ｃ）続いて、データ量の大きな実コンテンツのダウンロードを開始することを特徴とするウェブ技術利用機器における処理高速化方法。
【請求項２】
次画面に遷移する動作が開始されると、前記実コンテンツのダウンロードを中断する請求項１に記載のウェブ技術利用機器における処理高速化方法。
【請求項３】
次画面として表示されるウェブページをあらかじめダウンロードし、元画面が表示される第１のウィンドウと異なる第２のウィンドウに表示し、前記元画面において次画面に遷移する動作が開始されると、前記第２のウィンドウを第１のウィンドウの前面に表示する請求項１又は２に記載のウェブ技術利用機器における処理高速化方法。
【請求項４】
前記次画面には代理コンテンツが表示される請求項３に記載のウェブ技術利用機器における処理高速化方法。
【請求項５】
前記第２のウィンドウを第１のウィンドウの前面に表示すると、前記実コンテンツのダウンロードを開始する請求項３又は４に記載のウェブ技術利用機器における処理高速化方法。
【発明の詳細な説明】
【０００１】
【発明の属する技術分野】
本発明は、ウェブ技術利用機器における処理高速化方法に関するものである。
【０００２】
【従来の技術】
従来、ＷＷＷ（Ｗｏｒｌｄ  Ｗｉｄｅ  Ｗｅｂ）のようなウェブを介して情報のやり取りを行うウェブ技術利用機器において、静止画や動画のような画像を含むページを表示する場合、現時点で表示されている画面から、次の画面の要求を入力すると、該次の画面の要求は、前記ウェブを介してウェブサーバに送信されるようになっている。そして、前記次画面をウェブを介して前記ウェブサーバからダウンロードすると、ダウンロードされた次画面としてのウェブページが表示され、続いて、該ウェブページの中に含まれる静止画や動画のような画像が順にダウンロードされるようになっている。
【０００３】
例えば、前記ウェブ技術利用機器が、銀行、信用金庫等の金融機関に配設されたＣＤ（Ｃａｓｈ  Ｄｉｓｐｅｎｓｅｒ）、ＡＴＭ（Ａｕｔｏｍａｔｉｃ  Ｔｅｌｌｉｎｇ  Ｍａｃｈｉｎｅ）等の現金自動入出金機、コンビニエンスストア等に配設されたＫＩＯＳＫ端末等の機器であり、ウェブを介して上位装置等に接続されている端末機器の場合、該端末機器の利用者がメニュー画面としてのウェブページに示された複数の手続の中から一つの手続を選択すると、選択された手続に対応する画面としてのウェブページの要求がウェブを介してウェブサーバに送信される。そして、前記ウェブページがウェブを介して前記ウェブサーバからダウンロードされて表示され、続いて、次の操作を説明したり選択するための画像が順にダウンロードされて表示される（例えば、特許文献１参照。）。
【０００４】
このように、必要な画像を含むウェブページが順次ウェブサーバからダウンロードされてウェブ技術利用機器としての端末機器に表示されるようになっているので、該端末機器は、前記画面を表示するためのアプリケーションや画像データを記憶手段に格納したり、前記アプリケーションを実行したりする必要がない。そのため、前記端末機器の処理負担を低減することができ、コストを低くすることができる。また、処理能力の高いウェブサーバによって処理を実行するようになっているので、処理速度が向上し、効率を高くすることができる。
【０００５】
【特許文献１】
特開２００１−３５７２１６号公報
【０００６】
【発明が解決しようとする課題】
しかしながら、前記従来のウェブ技術利用機器においては、一般に、ウェブページ内でスクリプト等のプログラムを使用して、前記利用者の入力に対する処理や周辺機器に対する処理を実行するようになっている。この場合、前記ウェブページのダウンロードが完了してから、スクリプト等のプログラムを作成することが通常である。そのため、カラー画像や動画のようにデータ量が極めて多い画像をダウンロードする場合、ダウンロードが完了するまでに時間がかかる。そして、前記ウェブページのダウンロードが完了してから、前記プログラムの作成が開始されるので、前記プログラムが作成されるまでに時間がかかってしまう。その結果、前記端末機器の処理速度が低下し、効率が低くなってしまう。
【０００７】
ところが、前記ウェブページの中に含まれる画像の内容が、ウェブページにおいて実行される処理と関係がない場合には、画像のダウンロードが完了するのを待って前記プログラムを作成する必要がない。
【０００８】
例えば、前記選択された手続に対応する画面としてのウェブページの中に含まれる画像が、次の手続の手順や内容を説明するためのものであり、かつ、前記利用者が前記手続の手順や内容を熟知している場合、前記利用者は前記画像を見なくても、次の手続を入力することができる。このような場合、前記画像のダウンロードが完了されて、表示されるのを待つ必要がない。
【０００９】
本発明は、前記従来の問題点を解決して、ダウンロードに時間がかかる画像については、ダウンロードに時間がかからない代用の画像を先に読み込み、後で必要に応じて前記ダウンロードに時間がかかる画像を読み込むようにすることによって、ウェブページのダウンロードに必要な時間を短縮することができるウェブ技術利用機器における処理高速化方法を提供することを目的とする。
【００１０】
【課題を解決するための手段】
そのために、本発明のウェブ技術利用機器における処理高速化方法においては、ウェブ端末機器に画面として表示されるウェブページをダウンロードする時に、データ量の小さな代理コンテンツをダウンロードして前記ウェブページ上に表示し、続いて、データ量の大きな実コンテンツのダウンロードを開始する。
【００１１】
本発明の他のウェブ技術利用機器における処理高速化方法においては、さらに、次画面に遷移する動作が開始されると、前記実コンテンツのダウンロードを中断する。
【００１２】
本発明の更に他のウェブ技術利用機器における処理高速化方法においては、さらに、次画面として表示されるウェブページをあらかじめダウンロードし、元画面が表示される第１のウィンドウと異なる第２のウィンドウに表示し、前記元画面において次画面に遷移する動作が開始されると、前記第２のウィンドウを第１のウィンドウの前面に表示する。
【００１３】
本発明の更に他のウェブ技術利用機器における処理高速化方法においては、さらに、前記次画面には代理コンテンツが表示される。
【００１４】
本発明の更に他のウェブ技術利用機器における処理高速化方法においては、さらに、前記第２のウィンドウを第１のウィンドウの前面に表示すると、前記実コンテンツのダウンロードを開始する。
【００１５】
【発明の実施の形態】
以下、本発明の実施の形態について図面を参照しながら詳細に説明する。
【００１６】
図１は本発明の第１の実施の形態におけるウェブ技術利用機器システムの構成を示す図である。
【００１７】
図において、１０はウェブ技術利用機器としてのウェブ端末機器であり、２０はウェブサーバである。ここで、前記ウェブ端末機器１０は、ＣＰＵ、ＭＰＵ等の演算手段、半導体メモリ、磁気ディスク等の記憶手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段、キーボード、マウス、タッチパネル等の入力手段、通信インターフェイス等を備えるコンピュータであり、例えば、パーソナルコンピュータ、電子手帳、携帯電話、携帯情報端末、ＰＤＡ（Ｐｅｒｓｏｎａｌ  Ｄｉｇｉｔａｌ  Ａｓｓｉｓｔａｎｔ：個人用携帯情報端末）、テレビ電話、ゲーム機であるが、銀行、信用金庫等の金融機関に配設されたＣＤ、ＡＴＭ等の現金自動入出金機、スーパーマーケット、コンビニエンスストア等に配設されたＫＩＯＳＫ端末であってもよい。なお、本実施の形態においては、前記ウェブ端末機器１０が現金自動入出金機である場合について説明する。また、図において１５は、前記ウェブ端末機器１０を使用する利用者であり、前記ウェブ端末機器１０が現金自動入出金機である場合、前記ウェブ端末機器１０を使用して、引出、預入、振込、通帳記帳等の金融取引を行う。
【００１８】
そして、前記ウェブ端末機器１０には、周辺機器である周辺部３０が接続されている。ここで、該周辺部３０は、例えば、データを格納するデータベース等であるが、前記ウェブ端末機器１０が現金自動入出金機である場合には、利用者１５のキャッシュカードを読み取るカードリーダ、前記利用者１５の通帳に記帳する通帳記帳装置、前記利用者１５が数字や文字を入力するキーボード、前記利用者１５が現金を入金したり、出金したりする現金入出金装置、前記利用者１５に対して音声案内を行うスピーカ等である。
【００１９】
また、前記ウェブサーバ２０は、ＣＰＵ、ＭＰＵ等の演算手段、半導体メモリ、磁気ディスク等の記憶手段、通信インターフィエス等を備えるコンピュータである。そして、前記ウェブサーバ２０は、一体的に形成されたものであってもよいし、複数のサーバが有機的に結合された分散型サーバであってもよいし、他のサーバ等と一体的に構成されたものであってもよいし、汎（はん）用コンピュータ等の大型のコンピュータに構築された複数のシステムの中の一つであってもよい。なお、前記ウェブ端末機器１０及びウェブサーバ２０は、それぞれ、インターネットのＷＷＷのようなウェブ２７に接続され、該ウェブ２７を介して互いに通信することができるようになっている。
【００２０】
ここで、前記ウェブサーバ２０は、前記ウェブ２７を介してアクセス可能なウェブページ２１を有する。該ウェブページ２１は、例えば、仮想店舗、電子カタログ等のＥＣ（電子商取引）を行うためのＥＣサイトのウェブページ、娯楽情報、交通情報、科学技術情報、会社案内、金融取引情報、学術情報等の情報を掲示する情報提供サイトのウェブページ、サイト検索サービスを提供するポータルサイトのウェブページ、音楽配信、ソフトウェア配信等の各種アプリケーションサービスを提供するＡＳＰサイトのウェブページ、個人、企業、団体、政府等のホームページ等であり、いかなる種類のものであってもよい。なお、本実施の形態においては、前記ウェブサーバ２０が金融機関における現金自動入出金機のホストサーバであり、前記ウェブページ２１が現金自動入出金機を使用して行う入金、出金、振込、通帳記帳等の金融取引を行うための画面である場合について説明する。
【００２１】
さらに、前記ウェブサーバ２０は、データ量の小さな代理コンテンツ２２、データ量の大きな実コンテンツ２３、及び、ウェブ処理部２４を有する。ここで、前記実コンテンツ２３は、前記ウェブページ２１上に表示される静止画、動画等の画像であり、例えば、前記利用者１５に対する挨拶（あいさつ）、前記利用者１５が行うべき手続の手順や内容に関する説明、前記利用者１５に対する注意事項等の内容を含んでいる。
【００２２】
また、前記代理コンテンツ２２は、ウェブページ２１をウェブ端末機器１０に表示する時に、実コンテンツ２３の代理として最初に読み込まれるコンテンツである。例えば、前記実コンテンツ２３がカラー画像である場合、データ量が膨大なために、前記実コンテンツ２３をウェブ２７を介してウェブ端末機器１０にダウンロードするためには長時間かかってしまう。この場合、前記代理コンテンツ２２を実コンテンツ２３とほぼ同様な構成を有する単色の画像としておくと、画像圧縮技術によって、データ量を極めて小さくすることが可能となり、短時間でウェブ端末機器１０にダウンロードすることができる。そのため、ウェブページ２１をウェブ端末機器１０に表示する時に、前記代理コンテンツ２２をダウンロードして表示させ、後に前記実コンテンツ２３のダウンロードが完了した時点で、前記代理コンテンツ２２に代えて、実コンテンツ２３がウェブページ２１上に表示されるようになっている。
【００２３】
そして、前記ウェブ処理部２４は、スクリプト等のプログラムを備え、ウェブページ２１において利用者１５の入力に対する処理や、周辺部３０の動作を制御する処理を実行するものであり、前記ウェブページ２１とともに、ウェブ２７を介してウェブ端末機器１０にダウンロードされるようになっている。
【００２４】
また、図において１１は、前記ウェブ端末機器１０の図示されない表示手段に表示されたウェブページであり、ウェブ２７を介してウェブサーバ２０からダウンロードされた前記ウェブページ２１である。この場合、該ウェブページ２１は、利用者１５がＷＷＷブラウザのようなブラウザを操作することによって、又は、カードリーダがキャッシュカードを読み取ったり、通帳記帳装置が通帳を読み取ったりしたことが、イベントの発生として、周辺部３０からウェブ処理部２４に通知されることによって、前記ウェブサーバ２０からダウンロードされ、ウェブページ１１として表示されるようになっている。
【００２５】
そして、１２はウェブページ１１上に表示されたコンテンツであり、前記ウェブサーバ２０からダウンロードされた代理コンテンツ２２又は実コンテンツ２３である。さらに、１３はウェブページ１１内のウェブ処理部であり、利用者１５の入力を受け取る処理や、周辺部３０に対して動作の制御を行うようになっている。なお、前記ウェブ処理部１３は、ウェブサーバ２０からダウンロードされたウェブ処理部２４と同じ内容を有するものである。
【００２６】
次に、前記構成のウェブ技術利用機器システムの動作について説明する。
【００２７】
図２は本発明の第１の実施の形態におけるウェブ技術利用機器システムの動作を示す図である。
【００２８】
まず、ウェブ技術利用機器システムの全体的な動作を説明する。この場合、利用者１５は、図において▲１▼で示されるように、ＷＷＷブラウザのようなブラウザを操作して入力を行う。これにより、ウェブ端末機器１０がウェブ２７を介してウェブサーバ２０にアクセスし、図において▲２▼で示されるように、ウェブページ２１がダウンロードされる。なお、図において▲１▼’で示されるように、イベントが発生したことを周辺部３０がウェブ端末機器１０に通知した時にも、ウェブ端末機器１０がウェブ２７を介してウェブサーバ２０にアクセスして、ウェブページ２１がダウンロードされる。この場合、ウェブ処理部２４がダウンロードされるとともに、実コンテンツ２３に代えて代理コンテンツ２２がダウンロードされる。これにより、コンテンツ１２及びウェブ処理部１３を含むウェブページ１１が、ウェブ端末機器１０の図示されない表示手段に表示される。
【００２９】
そして、前記ウェブページ１１のダウンロードが完了すると、図において▲３▼で示されるように、利用者１５に対して次の入力が許可される。なお、図において▲３▼’で示されるように、周辺部３０に対して、カードリーダがキャッシュカードを読み取ったり、通帳記帳装置が通帳を読み取ったりするような次の動作を開始するように指令が出されるようにすることもできる。
【００３０】
続いて、図において▲４▼で示されるように、実コンテンツ２３のダウンロードが開始される。そして、ダウンロードが完了すると、図において▲５▼で示されるように、実コンテンツ２３が、前記ウェブ端末機器１０の図示されない表示手段に表示される。なお、前記実コンテンツ２３のダウンロード及び表示は、利用者１５の入力や周辺部３０の動作の完了とは関係なく行われる。
【００３１】
次に、ウェブ端末機器１０が現金自動入出金機であり、利用者１５がキャッシュカードを使用して、金融取引を行う場合のウェブ技術利用機器システムの動作について説明する。
【００３２】
図３は本発明の第１の実施の形態におけるウェブページの表示とウェブ技術利用機器システムの動作の関係を示す第１の図、図４は本発明の第１の実施の形態におけるウェブページの表示とウェブ技術利用機器システムの動作の関係を示す第２の図、図５は本発明の第１の実施の形態におけるウェブページの表示とウェブ技術利用機器システムの動作の関係を示す第３の図、図６は本発明の第１の実施の形態におけるウェブページの表示とウェブ技術利用機器システムの動作の関係を示す第４の図である。
【００３３】
ここでは、現金自動入出金機の元画面としての取引選択画面で利用者１５が引出の取引を選択した場合、次画面としてのカードの挿入を促す画面を表示するウェブページ１１のダウンロードが完了した時に、ウェブページ１１上のウェブ処理部１３としてのスクリプトがカードの挿入を要求し、カードの挿入時に次の次画面に遷移する動作について説明する。
【００３４】
まず、現金自動入出金機の表示手段には、初期状態において、図３に示さされるように、元画面としての取引選択画面１７−１が表示されている。この場合、選択可能な金融取引として、引出、預入、通帳記帳及び残高照会が表示されている。なお、前記表示手段は入力手段としての機能も兼ね備えるタッチパネルであるとする。また、３１は周辺部３０としてのカードリーダである。そして、金融手続を行う利用者１５は、図３において▲１▼で示されるように、引出の表示枠である「お引き出し」にタッチして押し下げる。
【００３５】
すると、次画面に遷移する動作が開始され、図４において▲２▼で示されるように、ウェブサーバ２０から、次画面を表示するためのウェブページ２１がダウンロードされ、ウェブページ１１として図示されない表示手段に表示される。この場合、ウェブページ１１としての前記次画面は、利用者１５にキャッシュカードをカードリーダ３１に挿入するカード挿入動作を促す画面１７−２である。ここで、該画面１７−２に表示される実コンテンツ２３は、利用者１５にキャッシュカードをカードリーダ３１に挿入する動作を促すための動画であり、代理コンテンツ２２は前記動画の第１番目のフレームを切り出した静止画である。そして、図４において▲２▼’で示されるように、前記ウェブページ２１とともに、まず、代理コンテンツ２２としての静止画がダウンロードされ、コンテンツ１２として表示される。
【００３６】
続いて、ウェブページ１１及び代理コンテンツ２２のダウンロードが完了すると、ブラウザは、ダウンロードの完了をイベントの発生として、ウェブ処理部１３としてのスクリプトに通知する。そして、該スクリプトは、図５において▲３▼で示されるように、カードリーダ３１に対して、キャッシュカードを読み取るためのカード挿入動作の開始を依頼する。続いて、前記スクリプトは、図５において▲４▼で示されるように、利用者１５にカード挿入動作を促すための実コンテンツ２３としての動画のダウンロードを開始させる。
【００３７】
そして、該動画のダウンロードが完了すると、図６において▲５▼で示されるように、前記動画がコンテンツ１２として、画面１７−２に表示される。
【００３８】
一方、動画のダウンロードが完了する前に、利用者１５がキャッシュカードをカードリーダ３１に挿入するカード挿入動作を実行した場合、図６において▲５▼’で示されるように、カードリーダ３１がイベントが発生したことを通知するので、前記スクリプトは、前記動画のダウンロードを中断して、直ちに次画面に遷移する動作が開始され、ウェブサーバ２０から、次の次画面を表示するためのウェブページ２１がダウンロードされる。
【００３９】
このように、本実施の形態においては、ダウンロードに時間がかからない代理コンテンツ２２をまずダウンロードし、続いて、ダウンロードに時間がかかる実コンテンツ２３をダウンロードする。そして、該実コンテンツ２３のダウンロードが完了する前でも、利用者１５に次の入力を許可したり、周辺部３０に次の動作を開始させたりするようになっている。
【００４０】
そのため、利用者１５への入力許可や周辺部３０に対する動作依頼のタイミングを早くすることができ、ウェブ技術利用機器システムの処理を高速化することができる。
【００４１】
次に、本発明の第２の実施の形態について説明する。なお、第１の実施の形態と同じ構造を有するもの及び同じ動作については、その説明を省略する。
【００４２】
図７は本発明の第２の実施の形態におけるウェブ技術利用機器システムの構成を示す図である。
【００４３】
本実施の形態においては、ウェブページの先読みを行ってウェブページの切替え時に、バックグラウンドに既にダウンロードされているウェブページを前面に表示するような場合のメモリ資源を節約することができるようになっている。
【００４４】
図において、４０はウェブ端末機器１０の表示手段に表示された第１のウィンドウとしての遷移元ウィンドウであり、５０は第２のウィンドウとしての先読みウィンドウである。ここで、該先読みウィンドウ５０は、遷移元ウィンドウ４０から遷移する次画面に相当するウェブページ１１が表示されるウィンドウである。ここで、前記次画面に相当するウェブページ１１は、次画面に遷移するための依頼、指令、入力等がなされる前に、あらかじめウェブサーバ２０からダウンロードされ、前記先読みウィンドウ５０に表示されるが、該先読みウィンドウ５０は前記遷移元ウィンドウ４０の裏側に隠れた状態となっている。そして、次画面に遷移するための依頼、指令、入力等がなされると、図７に示されるように、先読みウィンドウ５０が遷移元ウィンドウ４０の前側に表れ、次画面に相当するウェブページ１１が表示されるようになっている。
【００４５】
なお、その他の構成については、前記第１の実施の形態と同様であるので、説明を省略する。
【００４６】
次に、前記構成のウェブ技術利用機器システムの動作について説明する。
【００４７】
図８は本発明の第２の実施の形態におけるウェブ技術利用機器システムの動作を示す図である。
【００４８】
まず、ウェブ技術利用機器システムの全体的な動作を説明する。この場合、ウェブページの先読みを行って、画面展開を高速化する手法に応用されている。
【００４９】
ここで、ウェブ技術利用機器システムの立ち上げ時に、図において▲１▼で示されるように、第２のウィンドウとしての先読みウィンドウ５０上に元画面として表示されるウェブページ２１が、ウェブサーバ２０からダウンロードされる。この場合、ウェブ処理部２４がダウンロードされるとともに、実コンテンツ２３に代えて代理コンテンツ２２がダウンロードされる。
【００５０】
次に、第１のウィンドウとしての遷移元ウィンドウ４０に元画面として表示されているウェブページ１１に対して、図において▲２▼で示されるように、利用者１５がブラウザを操作して入力を行ったり、図において▲２▼’で示されるように、イベントが発生したことを周辺部３０が通知すると、図において▲３▼で示されるように、先読みウィンドウ５０が前面に表示される。なお、遷移元ウィンドウ４０への入力に基づいて、先読みウィンドウ５０を前面に表示するための処理は、別途作り込まれているものとする。
【００５１】
そして、先読みウィンドウ５０が前面に表示されると、図において▲４▼で示されるように、利用者１５に対して次の入力が許可される。なお、図において▲４▼’で示されるように、周辺部３０に対して、次の動作を開始するように指令が出されるようにすることもできる。
【００５２】
続いて、図において▲５▼で示されるように、実コンテンツ２３のダウンロードが開始される。そして、ダウンロードが完了すると、図において▲６▼で示されるように、実コンテンツ２３がコンテンツ１２として表示される。なお、図において▲７▼で示されるように、利用者１５がブラウザを操作して入力を行ったり、図において▲７▼’で示されるように、イベントが発生したことを周辺部３０が通知して、次画面に遷移する動作が行われた場合には、図において▲８▼で示されるように、コンテンツ１２として表示されるものを、実コンテンツ２３から代理コンテンツ２２に戻すようになっている。
【００５３】
次に、ウェブ端末機器１０が現金自動入出金機であり、利用者１５がキャッシュカードを使用して、金融取引を行う場合のウェブ技術利用機器システムの動作について説明する。
【００５４】
図９は本発明の第２の実施の形態におけるウェブページの表示とウェブ技術利用機器システムの動作の関係を示す第１の図、図１０は本発明の第２の実施の形態におけるウェブページの表示とウェブ技術利用機器システムの動作の関係を示す第２の図、図１１は本発明の第２の実施の形態におけるウェブページの表示とウェブ技術利用機器システムの動作の関係を示す第３の図、図１２は本発明の第２の実施の形態におけるウェブページの表示とウェブ技術利用機器システムの動作の関係を示す第４の図、図１３は本発明の第２の実施の形態におけるウェブページの表示とウェブ技術利用機器システムの動作の関係を示す第５の図である。
【００５５】
ここでは、現金自動入出金機の元画面としての取引選択画面において利用者１５が引出の取引を選択した場合、次画面としてのカードの挿入を促す画面を表示するウェブページ１１のダウンロードが完了した時に、ウェブページ１１上のウェブ処理部１３としてのスクリプトがカードの挿入を要求し、カードの挿入時に次の次画面に遷移する動作について説明する。
【００５６】
まず、ウェブ技術利用機器システムの立ち上げ時に、図９おいて▲１▼で示されるように、先読みウィンドウ５０上に、利用者１５にカード挿入動作を促すための画面を表示するためのウェブページ２１が、ウェブサーバ２０からダウンロードされる。この場合、ウェブ処理部２４がダウンロードされるとともに、図９おいて▲１▼’で示されるように、実コンテンツ２３に代えて代理コンテンツ２２がダウンロードされ、コンテンツ１２として表示される。なお、３１は周辺部３０としてのカードリーダである。
【００５７】
続いて、図１０に示されるように、先読みウィンドウ５０は遷移元ウィンドウ４０の裏側に隠れた状態とされる。ここで、該遷移元ウィンドウ４０には、初期画面として、図１０に示されるように、取引選択画面が表示されている。この場合、選択可能な金融取引として、引出、預入、通帳記帳及び残高照会が表示されている。なお、前記表示手段は、前記第１の実施の形態と同様に、入力手段としての機能も兼ね備えるタッチパネルであるとする。そして、金融手続を行う利用者１５は、図１０において▲２▼で示されるように、引出の表示枠である「お引き出し」にタッチして押し下げる。
【００５８】
すると、次画面に遷移する動作が開始され、図１１において▲３▼で示されるように、先読みウィンドウ５０が前面に表示される。そして  該先読みウィンドウ５０が前面に表示されたことをイベントの発生として、ウェブ処理部１３としてのスクリプトに通知する。すると、該スクリプトは、図１１において▲４▼で示されるように、カードリーダ３１に対して、キャッシュカードを読み取るためのカード挿入動作の開始を依頼する。続いて、前記スクリプトは、図１１において▲５▼で示されるように、利用者１５にカード挿入動作を促すための実コンテンツ２３としての動画のダウンロードを開始させる。そして、該動画のダウンロードが完了すると、前記動画がコンテンツ１２として表示される。
【００５９】
一方、動画のダウンロードが完了する前に、利用者１５がキャッシュカードをカードリーダ３１に挿入するカード挿入動作を実行した場合、図１２において▲６▼で示されるように、カードリーダ３１がイベントが発生したことを通知するので、前記スクリプトは、前記動画のダウンロードを中断して、直ちに次画面に遷移する動作が開始され、ウェブサーバ２０から、次画面を表示するためのウェブページ２１がダウンロードされる。なお、次画面に遷移する動作の前に、図１３において▲７▼で示されるように、コンテンツ１２として表示されるものを、実コンテンツ２３としての動画から、代理コンテンツ２２としての静止画に戻すようになっている。
【００６０】
このように、本実施の形態においては、次画面として表示されるウェブページの先読みを行って先読みウィンドウ５０上にダウンロードさせておき、該先読みウィンドウ５０を遷移元ウィンドウ４０の裏側に隠れた状態としておく。この場合、データ量の少ない代理コンテンツ２２がダウンロードされている。そして、次画面に遷移する動作が開始されると、直ちに先読みウィンドウ５０が前面に表示され、データ量の大きな実コンテンツ２３のダウンロードが開始されるようになっている。
【００６１】
そのため、画面遷移の処理が高速化されるとともに、ウェブページ２１の先読み時にデータ量の少ない代理コンテンツ２２がダウンロードされるので、先読みに必要なメモリ資源を節約することができる。
【００６２】
なお、本発明は前記実施の形態に限定されるものではなく、本発明の趣旨に基づいて種々変形させることが可能であり、それらを本発明の範囲から排除するものではない。
【００６３】
【発明の効果】
以上詳細に説明したように、本発明によれば、まず、データ量の小さな代理コンテンツをダウンロードして表示するので、ウェブページのダウンロードに必要な時間を短縮することができ、処理を高速化することができる。
【図面の簡単な説明】
【図１】本発明の第１の実施の形態におけるウェブ技術利用機器システムの構成を示す図である。
【図２】本発明の第１の実施の形態におけるウェブ技術利用機器システムの動作を示す図である。
【図３】本発明の第１の実施の形態におけるウェブページの表示とウェブ技術利用機器システムの動作の関係を示す第１の図である。
【図４】本発明の第１の実施の形態におけるウェブページの表示とウェブ技術利用機器システムの動作の関係を示す第２の図である。
【図５】本発明の第１の実施の形態におけるウェブページの表示とウェブ技術利用機器システムの動作の関係を示す第３の図である。
【図６】本発明の第１の実施の形態におけるウェブページの表示とウェブ技術利用機器システムの動作の関係を示す第４の図である。
【図７】本発明の第２の実施の形態におけるウェブ技術利用機器システムの構成を示す図である。
【図８】本発明の第２の実施の形態におけるウェブ技術利用機器システムの動作を示す図である。
【図９】本発明の第２の実施の形態におけるウェブページの表示とウェブ技術利用機器システムの動作の関係を示す第１の図である。
【図１０】本発明の第２の実施の形態におけるウェブページの表示とウェブ技術利用機器システムの動作の関係を示す第２の図である。
【図１１】本発明の第２の実施の形態におけるウェブページの表示とウェブ技術利用機器システムの動作の関係を示す第３の図である。
【図１２】本発明の第２の実施の形態におけるウェブページの表示とウェブ技術利用機器システムの動作の関係を示す第４の図である。
【図１３】本発明の第２の実施の形態におけるウェブページの表示とウェブ技術利用機器システムの動作の関係を示す第５の図である。
【符号の説明】
１０    ウェブ端末機器
１１、２１    ウェブページ
１２    コンテンツ
１７−１    取引選択画面
１７−２    画面
２２    代理コンテンツ
２３    実コンテンツ
４０    遷移元ウィンドウ
５０    先読みウィンドウ
【図１】
2004151985.tif 000003
【図２】
2004151985.tif 000004
【図３】
2004151985.tif 000005
【図４】
2004151985.tif 000006
【図５】
2004151985.tif 000007
【図６】
2004151985.tif 000008
【図７】
2004151985.tif 000009
【図８】
2004151985.tif 000010
【図９】
2004151985.tif 000011
【図１０】
2004151985.tif 000012
【図１１】
2004151985.tif 000013
【図１２】
2004151985.tif 000014
【図１３】
2004151985.tif 000015